【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
出力するコンテンツの所在情報を含む出力構造化文書を出力装置に提供する出力指示装置であって、
出力候補となるコンテンツに対するアクセス権を前記出力装置が有するか確認するための前記コンテンツの所在情報を含む確認リストを前記出力装置に送信する送信手段と、
前記出力装置に送信した確認リストに記載された所在情報のコンテンツに対するアクセス権を前記出力装置が有するか否かを示す情報を前記出力装置から受信する受信手段と、
前記出力装置が前記所在情報のコンテンツへのアクセス権を有しない場合、前記コンテンツを取得してコンテンツ保存部に保存する保存手段と、
前記出力装置が前記所在情報のコンテンツへのアクセス権を有しない場合、前記保存手段が前記コンテンツ保存部に保存したコンテンツが前記コンテンツ保存部に保存されていることを示す所在情報を含む出力構造化文書を前記出力装置に提供する提供手段とを備えたことを特徴とする出力指示装置。
【請求項２】
前記提供手段は、前記受信手段により受信した接続状態がアクセス権なし以外の理由で、前記確認リストに記載された所在情報のコンテンツへのアクセスに前記出力装置が失敗した場合、前記コンテンツを前記出力候補から削除することを特徴とする請求項１に記載の出力指示装置。
【請求項３】
前記送信手段は、
前記出力装置と同一ローカルネットワーク上に存在するコンテンツの所在情報を前記確認リストから除外した、前記出力構造化文書を前記出力装置に送信することを特徴とする請求項１に記載の出力指示装置。
【請求項４】
出力するコンテンツの所在情報を含む出力構造化文書を出力装置に提供する出力指示方法であって、
送信手段が、出力候補となるコンテンツに対するアクセス権を前記出力装置が有するか確認するための前記コンテンツの所在情報を含む確認リストを前記出力装置に送信する送信工程と、
受信手段が、前記出力装置に送信した確認リストに記載された所在情報のコンテンツに対するアクセス権を前記出力装置が有するか否かを示す情報を前記出力装置から受信する受信工程と、
保存手段が、前記出力装置が前記所在情報のコンテンツへのアクセス権を有しない場合、前記コンテンツを取得してコンテンツ保存部に保存する保存工程と、
提供手段が、前記出力装置が前記所在情報のコンテンツへのアクセス権を有しない場合、前記保存工程において前記コンテンツ保存部に保存したコンテンツが前記コンテンツ保存部に保存されていることを示す所在情報を含む出力構造化文書を前記出力装置に提供する提供工程とを備えたことを特徴とする出力指示方法。
【請求項５】
前記送信工程において、
前記出力装置と同一ローカルネットワーク上に存在するコンテンツの所在情報を前記確認リストから除外した、前記出力構造化文書を前記出力装置に送信することを特徴とする請求項４に記載の出力指示方法。
【請求項６】
出力装置が、出力候補となるコンテンツの所在情報を含む確認リストを受信する確認リスト受信工程と、
前記出力装置が、前記確認リスト受信工程において受信した確認リストに記載された所在情報のコンテンツに接続する接続工程と、
前記出力装置が、前記接続工程において接続に成功した場合に、前記コンテンツを一時的に保存する保存工程と、
前記出力装置が、出力するコンテンツの所在情報を含む出力指示命令を受信する命令受信工程と、
前記出力装置が、前記命令受信工程において受信した出力指示命令に含まれる所在情報のコンテンツを、前記保存工程で保存した前記コンテンツを利用して出力する出力工程と、
前記出力装置が、前記一時的に保存した前記コンテンツを削除する削除工程とを備えたことを特徴とする出力方法。
【請求項７】
前記削除工程は、前記命令受信工程において所定の時間内に出力指示命令を受信しなかった場合に、前記一時的に保存した前記コンテンツを削除することを特徴とする請求項６に記載の出力方法。
【請求項８】
前記削除工程は、前記一時的に保持していたコンテンツのうち、前記出力工程で出力されたコンテンツを削除することを特徴とする請求項６に記載の出力方法。
【請求項９】
出力するコンテンツの所在情報を含む出力構造化文書を出力装置に提供する出力指示手順をコンピュータに実行させるプログラムであって、
出力候補となるコンテンツに対するアクセス権を前記出力装置が有するか確認するための前記コンテンツの所在情報を含む確認リストを前記出力装置に送信する送信手順と、
前記出力装置に送信した確認リストに記載された所在情報のコンテンツに対するアクセス権を前記出力装置が有するか否かを示す情報を前記出力装置から受信する受信手順と、
前記出力装置が前記所在情報のコンテンツへのアクセス権を有しない場合、前記コンテンツを取得してコンテンツ保存部に保存する保存手順と、
前記出力装置が前記所在情報のコンテンツへのアクセス権を有しない場合、前記保存手順において前記コンテンツ保存部に保存したコンテンツが前記コンテンツ保存部に保存されていることを示す所在情報を含む出力構造化文書を前記出力装置に提供する提供手順とをコンピュータに実行させることを特徴とするプログラム。
【請求項１０】
前記送信手順において、
前記出力装置と同一ローカルネットワーク上に存在するコンテンツの所在情報を前記確認リストから除外した、前記出力構造化文書を前記出力装置に送信することを特徴とする請求項９に記載のプログラム。
【請求項１１】
出力候補となるコンテンツの所在情報を含む確認リストを受信する確認リスト受信手順と、
前記確認リスト受信手順において受信した確認リストに記載された所在情報のコンテンツに接続する接続手順と、
前記接続手順において接続に成功した場合に、前記コンテンツを一時的に保存する保存手順と、
出力するコンテンツの所在情報を含む出力指示命令を受信する命令受信手順と、
前記命令受信手順において受信した出力指示命令に含まれる所在情報のコンテンツを、前記保存手順で保存した前記コンテンツを利用して出力する出力手順と、
前記一時的に保存した前記コンテンツを削除する削除手順とをコンピュータに実行させることを特徴とするプログラム。
【請求項１２】
受信した出力指示命令に含まれる所在情報のコンテンツを出力する出力装置であって、
出力候補となるコンテンツの所在情報を含む確認リストを受信する受信手段と、
前記受信手段により受信した確認リストに記載された所在情報のコンテンツへの接続に成功するか確認する確認手段と、
前記確認手段により接続成功を確認した場合に、前記コンテンツを一時的に保存し、前記一時的に保存した前記コンテンツを削除する削除手段とを備えたことを特徴とする出力装置。
【請求項１３】
前記削除手段は、前記受信手段により所定の時間内に出力指示命令を受信しなかった場合に、前記一時的に保存した前記コンテンツを削除することを特徴とする請求項１２に記載の出力装置。
【請求項１４】
前記削除手段は、前記一時的に保持していたコンテンツのうち、出力されたコンテンツを削除することを特徴とする請求項１２に記載の出力装置。
【請求項１５】
前記確認手段により接続成功を確認した場合に一時的に保存したコンテンツを利用して、受信した出力指示命令に含まれる所在情報のコンテンツを出力する出力手段を更に有することを特徴とする請求項１２に記載の出力装置。
【請求項１６】
請求項１〜３の何れか１項に記載の出力指示装置と、請求項１２〜１４の何れか１項に記載の出力装置とを含むことを特徴とするコンテンツ出力システム。
【手続補正２】
【補正対象書類名】明細書
【補正対象項目名】０００８
【補正方法】変更
【補正の内容】
【０００８】
本発明の出力指示装置は、出力するコンテンツの所在情報を含む出力構造化文書を出力装置に提供する出力指示装置であって、出力候補となるコンテンツに対するアクセス権を前記出力装置が有するか確認するための前記コンテンツの所在情報を含む確認リストを前記出力装置に送信する送信手段と、前記出力装置に送信した確認リストに記載された所在情報のコンテンツに対するアクセス権を前記出力装置が有するか否かを示す情報を前記出力装置から受信する受信手段と、前記出力装置が前記所在情報のコンテンツへのアクセス権を有しない場合、前記コンテンツを取得してコンテンツ保存部に保存する保存手段と、前記出力装置が前記所在情報のコンテンツへのアクセス権を有しない場合、前記保存手段が前記コンテンツ保存部に保存したコンテンツが前記コンテンツ保存部に保存されていることを示す所在情報を含む出力構造化文書を前記出力装置に提供する提供手段とを備えたことを特徴とする。
【手続補正３】
【補正対象書類名】明細書
【補正対象項目名】００１２
【補正方法】変更
【補正の内容】
【００１２】
出力指示装置２０は、本実施形態のコンテンツ出力システムにおける出力指示装置である。出力指示装置２０は、下記の機能を有する。出力装置３０に提供する事前接続状態確認リストを作成、送信する機能。出力装置３０から接続状態を受信する機能。出力装置３０から受信した接続状態に応じて出力構造化文書を作成する機能。作成した出力構造化文書を出力装置３０に送信する機能。コンテンツサーバ４０、コンテンツサーバ５０からコンテンツ情報、及びコンテンツを取得する機能。出力装置３０にコンテンツ出力を要求する機能。本実施形態において、出力指示装置２０はＤＬＮＡ（登録商標：Digital Living Network Alliance）における＋ＰＲ２＋（Printing Controller‐２）を有する。